(57)【要約】【課題】燃料電池スタックのガス供給側のマニホールド内で発生した凝縮水を効率良くスタック外部に排出する。【解決手段】燃料電池セル１２を複数個積層し、この積層された複数の燃料電池セル１２をエンドプレート１８ａ，１８ｂで狭持してなる燃料電池スタック１０において、各燃料電池セル１２に外部から燃料ガスあるいは酸化剤ガスを供給するために、一方のエンドプレート１８ａから積層方向に貫通して形成されたガス供給マニホールド２０ａ，２２ａと、他方のエンドプレート１８ｂから前記ガス供給マニホールド２０ａ，２２ａまで貫通して形成され、前記ガス供給マニホールド２０ａ，２２ａ内に溜まった凝縮水を外部に排出するための排水路３２と、を備えた構成としている。【選択図】図４
2007141639.tif 000002
【特許請求の範囲】
【請求項１】
アノード側電極、電解質膜及びカソード側電極をセパレータによって狭持してなる燃料電池セルを複数個積層し、この積層された複数の燃料電池セルをエンドプレートで狭持してなる燃料電池スタックにおいて、
各燃料電池セルに外部から燃料ガスあるいは酸化剤ガスを供給するために、一方のエンドプレートから積層方向に貫通して形成されたガス供給マニホールドと、
他方のエンドプレートから前記ガス供給マニホールドまで貫通して形成され、前記ガス供給マニホールド内に溜まった凝縮水を外部に排出するための排水路と、
を備えたことを特徴とする燃料電池スタック。
【請求項２】
アノード側電極、電解質膜及びカソード側電極をセパレータによって狭持してなる燃料電池セルを複数個積層し、この積層された複数の燃料電池セルをエンドプレートで狭持してなる燃料電池スタックにおいて、
各燃料電池セルに外部から燃料ガスあるいは酸化剤ガスを供給するために、一方のエンドプレートから積層方向に貫通して形成されたガス供給マニホールドと、
各燃料電池セルから外部に燃料ガスあるいは酸化剤ガスを排出するために、一方のエンドプレートから積層方向に貫通して形成されたガス排出マニホールドと、
を備え、一方のエンドプレート側でガス供給及び排出が行われる構成となっており、
さらに、前記ガス供給マニホールド内に溜まった凝縮水を外部に排出するための排水路が、他方のエンドプレートから前記ガス供給マニホールドまで貫通して形成されていることを特徴とする燃料電池スタック。
【請求項３】
請求項１または２に記載の燃料電池スタックにおいて、
前記ガス供給マニホールドの底面は、各燃料電池セルの発電面にガスを導入するためのガス導入孔よりも低くなるよう形成され、
この高低差により形成されたガス供給マニホールドの下部の空間にガス供給マニホールド内の凝縮水を溜めて、排水路に流すことを可能とすることを特徴とする燃料電池スタック。
【請求項４】
請求項１または２に記載の燃料電池スタックにおいて、
前記ガス供給マニホールドの底面は、排水路に向かって下るように傾斜していることを特徴とする燃料電池スタック。
【請求項５】
請求項１から４のいずれか一つに記載の燃料電池スタックにおいて、
ガス供給マニホールドの終端面と、該終端面に最も近い燃料電池セルにおけるガス導入孔との間に、寸法差を設けたことを特徴とする燃料電池スタック。
【発明の詳細な説明】
【技術分野】
【０００１】
本発明は、燃料電池スタック、特に燃料電池スタックに燃料ガスや酸化剤ガスを供給する側のマニホールド内に存在する凝縮水を除去可能な燃料電池スタックに関する。
【背景技術】
【０００２】
燃料電池スタックは、アノード側電極、電解質膜およびカソード側電極を有した基本構造（燃料電池セル）を、複数積層して直列つなぎにすることで構成される。例えば固体高分子型燃料電池（ＰＥＦＣ）においては、燃料電池セルは、高分子イオン交換膜からなる電解質膜の一方の面にアノード側電極を、他方の面にカソード側電極を配置して、さらにそれらをセパレータによって狭持することで構成される。そして、このような構成の燃料電池セルを複数積層して直列つなぎにすることで、高電圧を発生する燃料電池スタックとして使用される。
【０００３】
また、燃料電池スタックには、燃料電池スタックの外部から燃料ガスおよび酸化剤ガスを各燃料電池セルのアノード側電極およびカソード側電極に供給するために、燃料電池スタックを積層方向に貫通して形成される燃料ガス供給マニホールドおよび酸化剤ガス供給マニホールドが備えられている。また、供給した燃料ガスおよび酸化剤ガスを各燃料電池セルのアノード側電極およびカソード側電極から燃料電池スタックの外へ排出するために、燃料電池スタックを積層方向に貫通して形成される燃料ガス排出マニホールドおよび酸化剤ガス排出マニホールドを備えている。
【０００４】
そして、こうした構成の燃料電池スタックにおいて、燃料ガス供給マニホールドを通して各燃料電池セルのアノード側電極に燃料ガス（例えば水素ガス）が供給され、また酸化剤ガス供給マニホールドを通して各燃料電池セルのカソード側電極に酸化剤ガス（例えば酸素ガスや空気）が供給されることにより、電解質膜を介して電気化学反応が生じて電気が発生すると共に、水が生成される。具体的には、アノード側電極では、供給される燃料ガス中の水素分子を水素イオンと電子に分離する反応が行われる。発生した電子はカソード側電極に向かって外部回路を移動するが、この外部回路を移動する電子により、外部の負荷に電力供給される。一方、カソード側電極では、供給される酸化剤ガス中の酸素と、アノード側電極側から電解質膜を介して移動してきた水素イオンと、外部回路から戻ってきた電子と、から水を生成する反応が行われる。こうして、燃料電池スタックでは、水の生成を伴いながら電気が発生し、外部負荷への電力供給が行われる。
【０００５】
ところで、例えば固体高分子型燃料電池において、電解質膜（高分子イオン交換膜）は、陽子交換膜として機能するために十分に湿った状態となっている必要がある。そこで、電解質膜の湿った状態を維持するため、燃料ガスや酸化剤ガスは加湿されて燃料電池スタック内に供給される。すなわち、供給される燃料ガスや酸化剤ガスは水蒸気を含有している。そして、この加湿されたガスが電解質膜内を通過することで、電解質膜の湿った状態を維持している。
【０００６】
ここで、上記のように燃料電池スタックにおいて水蒸気を含むガスが供給される場合、例えば燃料電池スタックの起動時などに、燃料電池スタックに燃料ガスや酸化剤ガスを供給する配管内で、ガス内に含まれる水分が結露（凝縮）してしまうことがある。この場合、凝縮水が燃料電池スタック内に導入されてしまうと、この凝縮水によって電極発電面が覆われてしまい、この凝縮水によりガスの供給が阻害され、ひいては発電性能が低下してしまうといった事態が生じる虞がある。
【０００７】
そこで、このように配管内で生じた凝縮水がスタック内に導入されて電極発電面が水滴で覆われないようにした燃料電池スタックがある（例えば下記特許文献１）。具体的には、燃料電池スタックにおける各マニホールドの入口側に、凝縮水を一時溜める水溜まり部が設けられており、ここから凝縮水の排水を行う構成となっている。
【０００８】
【特許文献１】特開２００３−１７８７９１号公報
【発明の開示】
【発明が解決しようとする課題】
【０００９】
ところで、上記のように水蒸気を含有した燃料ガスや酸化剤ガスが燃料電池スタック内に供給される場合、燃料電池スタックの起動時などで燃料電池スタック内が比較的低温となっていると、上記のような配管内で凝縮水が生じる以外に、燃料電池スタックの供給マニホールド内でも、供給されたガスに含有される水蒸気が凝縮して水滴が発生することがある。そして、この場合にも、ガス供給マニホールド内で発生した水滴により、燃料ガスや酸化剤ガスが電極発電面に供給されるのを阻害し、これにより発電が不安定になったり、発電性能が低下したりするといった事態が生じる虞がある。
【００１０】
しかしながら、上記の従来技術では、配管内で生じた凝縮水がスタック内に導入されて電極発電面が水滴で覆われないように除去する構成とはなっているものの、ガス供給マニホールド内で発生した水滴をも効率良く除去する構成になっているとは言い難い。ガス供給マニホールド内で生じた凝縮水については、排出されることなくセル内に供給される可能性があり、好ましくない。
【００１１】
本発明は、燃料電池スタックのガス供給側のマニホールド内で生じた凝縮水を効率良くスタック外部に排出可能な燃料電池スタックを提供することを目的とする。
【課題を解決するための手段】
【００１２】
本発明は、アノード側電極、電解質膜及びカソード側電極をセパレータによって狭持してなる燃料電池セルを複数個積層し、この積層された複数の燃料電池セルをエンドプレートで狭持してなる燃料電池スタックにおいて、各燃料電池セルに外部から燃料ガスあるいは酸化剤ガスを供給するために、一方のエンドプレートから積層方向に貫通して形成されたガス供給マニホールドと、他方のエンドプレートから前記ガス供給マニホールドまで貫通して形成され、前記ガス供給マニホールド内に溜まった凝縮水を外部に排出するための排水路と、を備えたことを特徴とする。
【００１３】
また本発明は、アノード側電極、電解質膜及びカソード側電極をセパレータによって狭持してなる燃料電池セルを複数個積層し、この積層された複数の燃料電池セルをエンドプレートで狭持してなる燃料電池スタックにおいて、各燃料電池セルに外部から燃料ガスあるいは酸化剤ガスを供給するために、一方のエンドプレートから積層方向に貫通して形成されたガス供給マニホールドと、各燃料電池セルから外部に燃料ガスあるいは酸化剤ガスを排出するために、一方のエンドプレートから積層方向に貫通して形成されたガス排出マニホールドと、を備え、一方のエンドプレート側でガス供給及び排出が行われる構成となっており、さらに、前記ガス供給マニホールド内に溜まった凝縮水を外部に排出するための排水路が、他方のエンドプレートから前記ガス供給マニホールドまで貫通して形成されていることを特徴とする。
【００１４】
ここで、上記構成の燃料電池スタックにおいて、前記ガス供給マニホールドの底面は、各燃料電池セルの発電面にガスを導入するためのガス導入孔よりも低くなるよう形成され、この高低差により形成されたガス供給マニホールドの下部の空間にガス供給マニホールド内の凝縮水を溜めて、排水路に流すことを可能とするのが好適である。
【００１５】
また、上記構成の燃料電池スタックにおいて、前記ガス供給マニホールドの底面は、排水路に向かって下るように傾斜しているのが好適である。
【００１６】
さらに上記構成の燃料電池スタックにおいて、ガス供給マニホールドの終端面と、該終端面に最も近い燃料電池セルにおけるガス導入孔との間に、寸法差を設けるのが好適である。
【発明の効果】
【００１７】
本発明によれば、燃料電池スタックのガス供給側のマニホールド内で凝縮水が発生しても、その凝縮水を効率良くスタック外部に排出することができる。したがって、ガス供給側のマニホールド内で発生した凝縮水によりガス供給が阻害されることで発電が不安定になったり発電性能が低下したりするといった事態を回避できる。
【発明を実施するための最良の形態】
【００１８】
図１は、本発明の実施の形態における燃料電池スタックの概略構成を示す斜視図である。燃料電池スタックは、従来と同様、アノード側電極、電解質膜およびカソード側電極をセパレータによって狭持してなる燃料電池セル１２を、複数積層して直列つなぎにし、この積層された複数の燃料電池セル１２を、さらに集電板１４ａ，１４ｂ、絶縁板１６ａ，１６ｂおよびエンドプレート１８ａ，１８ｂで狭持した構成となっている。
【００１９】
燃料電池スタック１０には、図１に示すように、燃料電池スタック１０の外部から燃料ガスおよび酸化剤ガスを各燃料電池セル１２のアノード側電極およびカソード側電極に供給するために、燃料電池スタック１０を積層方向に貫通して形成される燃料ガス供給マニホールド２０ａ（図中の左側上段）および酸化剤ガス供給マニホールド２２ａ（図中の右側上段）が備えられている。また、供給した燃料ガスおよび酸化剤ガスを各燃料電池セル１２のアノード側電極およびカソード側電極から燃料電池スタック１０の外へ排出するために、燃料電池スタック１０を積層方向に貫通して形成される燃料ガス排出マニホールド２０ｂ（図中の右側下段）および酸化剤ガス排出マニホールド２２ｂ（図中の左側下段）を備えている。ここで、本実施形態では、これらのマニホールドは、いずれも一方のエンドプレート１８ａから他方側の集電板１４ｂまで、積層方向に貫通して形成されている（図３及び図４参照）。すなわち、他方側の絶縁板１６ｂおよびエンドプレート１８ｂには、各マニホールドは形成されておらず、他方側の絶縁板１６ｂの面がマニホールドの終端面となっている。なお、図１における黒い太矢印は燃料ガスの流動方向、白い太矢印は酸化剤ガスの流動方向をそれぞれ示している。
【００２０】
なお、燃料電池セル１２の発熱による温度上昇を抑制するため、燃料電池スタック１０の外部から冷却媒体（例えば冷却水）を各燃料電池セル１２内に流しているが、この冷却媒体の供給および排出を行うための冷却媒体供給マニホールド２４ａ（図中の右側中段）および冷却媒体排出マニホールド２４ｂ（図中の左側中段）も、燃料電池スタック１０を積層方向に貫通して形成されている。なお、図１における斜線の太矢印は、冷却媒体の流動方向を示している。
【００２１】
ここで、この燃料電池スタック１０に用いられる燃料電池セル１２は、例えば固体高分子型燃料電池（ＰＥＦＣ）においては、従来と同様に、高分子イオン交換膜からなる電解質膜の一方の面にアノード側電極を、他方の面にカソード側電極を配置して、さらにそれらをセパレータによって狭持することで構成されている。そして、この燃料電池セル１２を複数積層して直列つなぎにすることで、高電圧を発生する燃料電池スタック１０として使用される。
【００２２】
図２は、各燃料電池セル１２における各セパレータの一方の面の構成を示しており、図２（ａ）は、アノード側電極と対向するセパレータにおける、アノード側電極との対向面の構成を示し、図２（ｂ）は、カソード側電極と対向するセパレータにおける、カソード側電極との対向面の構成を示す。なお、各図中の矢印は、供給されるガスの流動経路、流動方向を示す。
【００２３】
これによれば、燃料ガス供給マニホールド２０ａを通ってきた燃料ガスは、積層された各燃料電池セル１２において、ガス導入孔２６ａを通ってアノード側電極の発電面２８ａに供給され、発電面２８ａに形成された複数本の流路を経て、ガス排出孔３０ａから燃料ガス排出マニホールド２０ｂに排出されるようになっている。また同様に、酸化剤ガス供給マニホールド２２ａを通ってきた酸化剤ガスは、積層された各燃料電池セル１２において、ガス導入孔２６ｂを通ってカソード側電極の発電面２８ｂに供給され、発電面２８ｂに形成された複数本の流路を経て、ガス排出孔３０ｂから酸化剤ガス排出マニホールド２２ｂに排出されるようになっている。
【００２４】
以上のような構成により、図１に示す燃料電池スタック１０では、燃料ガス及び酸化剤ガスは、燃料電池スタック１０の一方のエンドプレート１８ａ側からガス供給マニホールド２０ａ，２２ａを通って各燃料電池セル１２に供給された後、各燃料電池セル１２からガス排出マニホールド２０ｂ，２２ｂに排出され、排出されたガスは、ガス排出マニホールド２０ｂ，２２ｂを通って一方のエンドプレート１８ａ側から外部に排出される。
【００２５】
図３は、図１の燃料電池スタック１０におけるＡ−Ａ断面図であり、図４は、図１の燃料電池スタック１０におけるガス供給マニホールド２０ａ，２２ａ内の構成を示すＢ矢視断面図であり、図５は、酸化剤ガス供給マニホールド２２ａと各燃料電池セル１２との関係を示す断面図である。なお、図３及び図４における太矢印は、ガス供給マニホールド２０ａ，２２ａ内におけるガスの流動方向を示し、細矢印は、ガス供給マニホールド２０ａ，２２ａからスタック外部へ排出される凝縮水の排出方向を示している。また、燃料ガス供給マニホールド２０ａと各燃料電池セル１２との関係も、図５と同様である。
【００２６】
本実施形態における燃料電池スタック１０では、図３及び図４に示すように、他方側のエンドプレート１８ｂから、この他方側のエンドプレート１８ｂ及び絶縁板１６ｂを貫通して、燃料ガス供給マニホールド２０ａ及び酸化剤ガス供給マニホールド２２ａに繋がる排水路３２が形成されている。
【００２７】
この排水路３２は、ガス供給マニホールド２０ａ，２２ａから後述のように排出される水を、燃料電池スタック１０の外部へ排水するためのものである。そこで、図４に示すように、ガス供給マニホールド２０ａ，２２ａ内に溜まった水が排水路３２に流れ易く且つ排水路３２からガス供給マニホールド２０ａ，２２ａ内に流入（逆流）しないようにするため、ガス供給マニホールド２０ａ，２２ａの底面が排水路３２の底面よりも高い位置となるような構成となっている。図４では、ガス供給マニホールド２０ａ，２２ａと排水路３２との間に段差部分３４が形成された構成となっており、ガス供給マニホールド２０ａ，２２ａ内に溜まった水がこの段差部分３４を流れ落ちて排水路３２を通り、燃料電池スタック１０の外へ排水されるようになっている。
【００２８】
なお、他方側のエンドプレート１８ｂにおいて、この排水路３２には外部から配管３６が連結されており、さらにこの配管３６には電磁弁３８が設けられている。この電磁弁３８は、所定条件によって開閉制御される。例えば、排水路３２内に所定量の水が溜まったか否かを検知するセンサ（図示せず）を設けておき、電磁弁３８の閉状態時にガス供給マニホールド２０ａ，２２ａから段差部分３４を流れ落ちた水が排水路３２内に所定量以上溜まった状態をセンサが検知すると、電磁弁３８が開くように制御される。なお、この所定量としては、例えば、排水路３２内に溜まった水が段差部分３４を越える量、すなわち溜まった水の水面がガス供給マニホールド２０ａ，２２ａの底面と同じ高さになる量としても良い。
【００２９】
また、図４及び図５に示すように、燃料ガス供給マニホールド２０ａ及び酸化剤ガス供給マニホールド２２ａにおいて、各燃料電池セル１２におけるガス導入孔２６ａ，２６ｂは、各ガス供給マニホールド２０ａ，２２ａの底面よりも高い位置に配置された状態となっている。換言すれば、図４及び図５に示すように、各ガス供給マニホールド２０ａ，２２ａの底面から、重力方向とは逆方向に高さＨの箇所に、ガス導入孔２６ａ，２６ｂが配置された状態となっている。そして、このガス供給マニホールド２０ａ，２２ａ内の下部に形成される高さＨの空間は、燃料ガスや酸化剤ガスに含有される水蒸気がガス供給マニホールド２０ａ，２２ａ内で凝縮して水滴が発生した場合、その水滴を受水し、ガス供給マニホールド２０ａ，２２ａ内の底面に溜まった水（凝縮水）を排水路３２まで流す溝の役割を果たす。
【００３０】
ここで、本実施形態では、図４及び図５に示すように、ガス供給マニホールド２０ａ，２２ａ内におけるガスの流動方向と各燃料電池セル１２内への導入方向とが略直交するように、各燃料電池セル１２におけるガス導入孔２６ａ，２６ｂは形成されている。つまり、ガス供給マニホールド２０ａ，２２ａ内におけるガスの流動方向に対し、ガス供給マニホールド２０ａ，２２ａから各燃料電池セル１２内へのガスの導入方向は角度が付いている。したがって、ガスに含まれる水滴が各燃料電池セル１２内へ流入することが十分に抑制される。そして、ガスに含まれる水滴は、ガス供給マニホールド２０ａ，２２ａ内の下部に形成された高さＨの空間に落下することとなる。
【００３１】
また本実施形態では、図４に示すように、最も他方側（ガス供給マニホールド２０ａ，２２ａの終端側）に配置された燃料電池セル１２におけるガス導入孔２６ａ，２６ｂと、ガス供給マニホールド２０ａ，２２ａの終端面（図４では、他方側の絶縁板１６ｂの面）との間には、寸法差Ｌが設けられている。したがって、ガス供給マニホールド２０ａ，２２ａ内で凝縮して水滴が発生し、その水滴がガス供給マニホールド２０ａ，２２ａの終端面に付着した状態でも、この水滴は、寸法差Ｌによって、最も他方側に配置された燃料電池セル１２のガス導入孔２６ａ，２６ｂに届かないため、この最も他方側に配置された燃料電池セル１２内に流入することは十分に抑制され、ガス供給マニホールド２０ａ，２２ａ内の下部に形成された高さＨの空間に落下することとなる。
【００３２】
そこで、ガス供給マニホールド２０ａ，２２ａ内でガス内の水蒸気が凝縮して発生した水滴は、各燃料電池セル１２内の発電面へ流入することが十分に抑制され、ガス供給マニホールド２０ａ，２２ａの下部に形成された高さＨの空間に落ちて溜まり、この空間に溜まった水（凝縮水）が、供給されるガスの流れによって排水路３２の方に押し流され、そして前述のように段差部分３４を流れ落ちて排水路３２を通り、スタック外へ排水される。
【００３３】
こうして、本実施形態における燃料電池スタック１０によれば、燃料ガスや酸化剤ガスに含有される水蒸気がガス供給マニホールド２０ａ，２２ａ内で凝縮して水滴が発生した場合にも、その水滴（ガス供給マニホールド２０ａ，２２ａ内の底面に溜まった凝縮水）を、排水路３２を介して燃料電池スタック１０の外へ効率良く排水することが可能となる。そして、このガス供給マニホールド２０ａ，２２ａ内からガス排出マニホールド２０ｂ，２２ｂ側に排出するのではなく燃料電池スタック１０の外部へ排出するようにしたことで、ガス排出マニホールド２０ｂ，２２ｂに流れ込む凝縮水の量を低減でき、ガスの供給停止時に生じ得るガス排出マニホールド２０ｂ，２２ｂから燃料電池セル１２内への凝縮水の流れ込みを抑制することができる。
【００３４】
また、本実施形態における燃料電池スタック１０によれば、各燃料電池セル１２内に凝縮水が導入されることが低減され、金属イオンなどの成分が含まれる凝縮水の各燃料電池セル１２内への導入量が低減されるため、金属イオンなどの成分による電解質膜の性能低下を抑制することができる。
【００３５】
なお、本実施形態における燃料電池スタック１０によれば、水滴が含まれるガスが燃料電池スタック１０内に供給された場合でも、その水滴が各燃料電池セル１２内へ流入することが抑制され、その水滴をガス供給マニホールド２０ａ，２２ａ内の底面に落下させて、溜まった水（凝縮水）を排水路３２を介して燃料電池スタック１０の外へ効率良く排水することができるのは、勿論である。
【００３６】
なお、他の実施形態として、ガス供給マニホールド２０ａ，２２ａの下部に形成された高さＨの空間内に、例えば図６のように、マニホールド終端（排水路３２側）に向けて下るような傾斜部４０を設けるのが好適である。これにより、ガス供給マニホールド２０ａ，２２ａ内で落下して溜まった水（凝縮水）は、傾斜部４０によって排水路３２に流れ易くなる。ここで、この傾斜部４０は、各燃料電池セル１２を積層させることによって形成されるような構成であっても良く、あるいは、各燃料電池セル１２とは別体の傾斜部材４１をガス供給マニホールド２０ａ，２２ａ内に挿入して設置するような構成であっても良い。なお、この傾斜部材４１は、電気的に絶縁性を有するのが好適である。
【００３７】
また、上記実施形態においては、ガス供給マニホールド２０ａ，２２ａは、一方のエンドプレート１８ａから他方側の集電板１４ｂまで積層方向に貫通して形成され、排水路３２が他方側の絶縁板１６ｂ及びエンドプレート１８ｂに形成された構成となっているが、ガス供給マニホールド２０ａ，２２ａの形成態様はこれに限定されるものではない。例えば、ガス供給マニホールド２０ａ，２２ａは、一方のエンドプレート１８ａから他方側の絶縁板１６ｂまで積層方向に貫通して形成され、排水路３２は他方側のエンドプレート１８ｂに形成された構成であっても良い。あるいは、ガス供給マニホールド２０ａ，２２ａは、一方のエンドプレート１８ａから最も他方側に位置する燃料電池セル１２まで積層方向に貫通して形成され、排水路３２は、他方側の集電板１４ｂ、絶縁板１６ｂ及びエンドプレート１８ｂに形成された構成であっても良い。
【図面の簡単な説明】
【００３８】
【図１】本発明の実施の形態における燃料電池スタックの概略構成を示す斜視図である。
【図２】各燃料電池セルにおける各セパレータの一方の面の構成を示す図であり、図２（ａ）は、アノード側電極と対向するセパレータにおける、アノード側電極との対向面の構成を示し、図２（ｂ）は、カソード側電極と対向するセパレータにおける、カソード側電極との対向面の構成を示す。
【図３】図１の燃料電池スタックにおけるＡ−Ａ断面図である。
【図４】図１の燃料電池スタックにおけるガス供給マニホールド内の構成を示すＢ矢視断面図である。
【図５】酸化剤ガス供給マニホールドと各燃料電池セルとの関係を示す断面図である。
【図６】他の実施の形態における燃料電池スタックのガス供給マニホールド内の構成を示す断面図である。
【符号の説明】
【００３９】
１０  燃料電池スタック、１２  燃料電池セル、１４ａ，１４ｂ  集電板、１６ａ，１６ｂ  絶縁板、１８ａ，１８ｂ  エンドプレート、２０ａ  燃料ガス供給マニホールド、２０ｂ  燃料ガス排出マニホールド、２２ａ  酸化剤ガス供給マニホールド、２２ｂ  酸化剤ガス排出マニホールド、２４ａ  冷却媒体供給マニホールド、２４ｂ  冷却媒体排出マニホールド、２６ａ，２６ｂ  ガス導入孔、２８ａ，２８ｂ  発電面、３０ａ，３０ｂ  ガス排出孔、３２  排水路、３４  段差部分、３６  配管、３８  電磁弁、４０  傾斜部、４１  傾斜部材。
【図１】
2007141639.tif 000003
【図２】
2007141639.tif 000004
【図３】
2007141639.tif 000005
【図４】
2007141639.tif 000006
【図５】
2007141639.tif 000007
【図６】
2007141639.tif 000008